(57)【要約】【課題】  本発明では、電力入出力変換機能からなる入出力変換コネクタ、及びそれを有する電子機器を提供することを目的とする。  【解決手段】  携帯電子機器２の入出力変換コネクタ７２と電源共有コネクタ８が接続されると、入出力変換コネクタ７２の入力機能は出力機能に変換され、携帯電子機器２の電力は、電源共有コネクタ８へ出力される。  携帯電子機器電源共有装置１は、出力された携帯電子機器２の電力を電圧変換装置６によって携帯電子機器３の電源電圧に調整し、コネクタ９を介して携帯電子機器３に供給する。この際、電圧変換調整については、電圧変換指示スイッチ１０により電圧変換装置６へ指示をする。【選択図】  図１
2005128821.tif 000002
【特許請求の範囲】
【請求項１】
内部電源を有する電子機器において、
該内部電源に外部電力を入力する機能及び該内部電源の電力を出力する機能からなるコネクタを
有することを特徴とする電子機器。
【請求項２】
該コネクタが有する電力入力機能を電力出力機能に変更する電力出力スイッチを
有することを特徴とする請求項１に記載の電子機器。
【請求項３】
該コネクタが、該内部電源から電力供給を受ける電子機器と接続された際に、
該電力出力スイッチが自動的にオンになることを特徴とする請求項１に記載の電子機器。
【請求項４】
該コネクタが、該内部電源から電力供給を受ける電子機器の突起部を有するコネクタと接続された際に、
該突起部の押圧によって、該電力出力スイッチがオンになることを特徴とする請求項１に記載の電子機器。
【請求項５】
該突起部と嵌合する溝部が設けられたコネクタを有し、該電力出力スイッチが該溝部上に配置されていることを特徴とする請求項１に記載の電子機器。
【請求項６】
電子機器のコネクタが有する電力入力機能を電力出力機能に変換する入出力変換部と、
該入出力変換部によって、該コネクタからの出力された電力を出力するコネクタを
有することを特徴とする電子機器電源共有装置。
【請求項７】
請求項１乃至５いずれか一つに記載の電子機器と、
請求項６に記載の電子機器電源共有装置が接続され、
該電子機器の電力を他の電子機器に供給することを特徴とする電子機器電源共有システム。
【発明の詳細な説明】
【技術分野】
【０００１】
本発明は、携帯電子機器の電源供給元に対して用いられる電源供給制御装置に関するものである。
【背景技術】
【０００２】
近年、電子機器の小型化実現に伴い、様々な携帯電子機器が登場してきており、携帯電話、ノ−ト型パーソナルコンピュータ、デジタルカメラ等といったものがその代表例である。
【０００３】
これら携帯電子機器の普及率は増加の一途を辿っており、携帯電話機においては、所持している人がほとんどといった現状である。さらに、一度に複数種類の携帯電子機器を携帯する場合も多くなってきている。
【０００４】
通常、携帯電子機器は、電池（最近では主に充電可能な二次電池）で動作しており、その電源供給時間には限界がある。それぞれの携帯電子機器の電池による使用可能時間や使用頻度に違いがあるため、使用したい携帯電子機器の電池は消耗しきっている一方で、使用予定が無い携帯電子機器の電池はまだ残存容量があるといった状況がしばしば起こっていた。
【０００５】
しかし、種類の異なる携帯電子機器の電池はその機器に合わせた独自の設計がなされており、そのため通常、それらの電池の互換性はないので、電池容量の余っている携帯電子機器を所持しているにも関わらず、電池容量が尽きてしまった携帯電子機器を使用することはできなかった。
【０００６】
電池容量が尽きてしまった携帯電子機器をさらに使用したい場合は、予備電池を携帯しておく必要があり、携帯する予備電池が一つであればまだよいが、複数種類の携帯電子機器の予備電池をいくつも携帯する場合等は、重量が大きくなり煩わしかった。
【０００７】
そのため、それぞれの種類の異なる電子機器の電池を共有する装置が考えられており、従来では、デジタルカメラと他の携帯電子機器間で、双方の電池を共有する装置がある。また他にも予備電池によって携帯電子機器の使用時間を延ばす発明もある。
【０００８】
以下、それら従来の発明について説明する。
【特許文献１】特開２００３−１８４４１号公報
【特許文献２】特開平４−２６３１８６号公報  上記特許文献１の電源供給源共有システムは、デジタルカメラと携帯電話機が接続ケーブルによって接続して構成されている。
【０００９】
デジタルカメラと携帯電話機は、それぞれ電源切替スイッチを有している。そしてユーザによるそれぞれのスイッチ切替操作により、デジタルカメラは接続された携帯電話機の電池から電源の供給を受けることができ、また逆に、デジタルカメラ側から携帯電話機に対して、電源を供給することを可能とする。
【００１０】
上記特許文献２では、フロッピーディスク（登録商標）ドライブと補助バッテリーを同一サイズにユニット化する。
【００１１】
そしてフロッピーディスク（登録商標）ドライブのユニットとバッテリーのユニットにそれぞれ専用コネクタを設け、ノート型パーソナルコンピュータ本体側の基板にはこれら専用コネクタと嵌脱可能で択一的に導通可能な共用コネクタを設け、フロッピーディスク（登録商標）ドライブのユニット化により生じたノート型パーソナルコンピュータ本体の挿填スペースに、両ユニットのそれぞれを導通状態で択一収容可能とする。
【００１２】
上記発明は、ノート型パーソナルコンピュータに要求される使用可能時間の延長を達成している。
【発明の開示】
【発明が解決しようとする課題】
【００１３】
しかし、特許文献１記載の発明は、デジタルカメラと携帯電話機上の電源切替スイッチのスイッチ切替操作によって電力を出力する電子機器、入力される電子機器を決定するためユーザの切り替え操作が必要である。またユーザがスイッチ切替操作を誤って、両方の機器が電力を出力する、または入力される電子機器となり、このような状態になると、電池や回路を破損、劣化させる等の問題がある。
【００１４】
また特許文献１は、デジタルカメラと携帯電子機器の電池の共有に限定した発明である。そのため、デジタルカメラ以外の携帯電子機器間で、電源を共有することができない。
【００１５】
特許文献２においても、ノート型パーソナルコンピュータの補助バッテリーをフロッピーディスク（登録商標）ドライブの挿填スペースに収容し使用可能時間の延長を図った発明であり、他の携帯電子機器と電源を共有することはできない。
【００１６】
通常、携帯電子機器は、外部電源から入力する電力入力コネクタを有している。一般にACアダプタのコネクタが挿されるコネクタがそれである。
【００１７】
しかし携帯電子機器は、電力を外部に出力するコネクタを有しておらず、携帯電子機器間の電源を共有することはできない。
【００１８】
本発明では、電力入出力変換機能からなる入出力変換コネクタ、及びそれを有する電子機器を提供することを目的とする。
【課題を解決するための手段】
【００１９】
上記課題を解決するために、本発明の電子機器は、内部電源を有する電子機器において、該内部電源に外部電力を入力する機能及び該内部電源の電力を出力する機能からなるコネクタを有することを特徴とする。
【００２０】
また、本発明の電子機器は、該コネクタが有する電力入力機能を電力出力機能に変更する電力出力スイッチを有することを特徴とする。
【００２１】
また、記載の電子機器は、本発明の電子機器は、該コネクタが、該内部電源から電力供給を受ける電子機器と接続された際に、該電力出力スイッチが自動的にオンになることを特徴とする。
【００２２】
また、本発明の電子機器は、該コネクタが、該内部電源から電力供給を受ける電子機器の突起部を有するコネクタと接続された際に、該突起部の押圧によって、該電力出力スイッチがオンになることを特徴とする。
【００２３】
また、本発明の電子機器は、該突起部と嵌合する溝部が設けられたコネクタを有し、該電力出力スイッチが該溝部上に配置されていることを特徴とする。
【００２４】
さらに本発明の電子機器電源共有装置は、電子機器のコネクタが有する電力入力機能を電力出力機能に変換する入出力変換部と、入出力変換部によって、該コネクタから出力された電圧値を変更調整する電圧変換部と、該電圧変換部において電圧を変更調整された電力を出力するコネクタを有することを特徴とする。
【００２５】
さらに本発明の電子機器電源共有システムは、本発明の電子機器と、本発明の電子機器電源共有装置が接続され、該電子機器の電力を他の電子機器に供給することを特徴とする。
【発明の効果】
【００２６】
本発明によれば、複数の携帯電子機器を携帯している場合、使用したい携帯電子機器の電源が尽きてしまっても、他の携帯電子機器の電力が余っていれば、電力が余っている携帯電子機器の電力を使用したい携帯電子機器の電源に出力して供給することができる。
【発明を実施するための最良の形態】
【００２７】
以下本発明の具体的な実施の形態を、図面を参照して説明する。
【００２８】
まず図１において、入出力変換コネクタ７を有する携帯電子機器２，３間での電源共有例を示す。
【００２９】
１は携帯電子機器電源共有装置、２，３はそれぞれ携帯電子機器である。ここで携帯電子機器電源共有装置１は、携帯電子機器２，３の電源を共有し、携帯電子機器２の電力を携帯電子機器３に供給する装置である。携帯電子機器２，３はノート型パーソナルコンピュータ、携帯電話機等である。
【００３０】
携帯電子機器電源共有装置１は、入出力変換部４，５及び電圧変換装置６から構成される。
【００３１】
携帯電子機器２，３はそれぞれ、入出力変換コネクタ７２，７３を有し、携帯電子機器電源共有装置１の入出力変換部４は直径の異なる電源共有コネクタ８、入出力変換部５も直径の異なるコネクタ９をそれぞれ３つ有する。
【００３２】
一般に、携帯電子機器の取り扱う電源電圧は、コネクタの直径の違いによって決まっており、直径が大きくなるほど扱う電源電圧も大きくなる。今、携帯電子機器２，３の取り扱う電源電圧は異なるとし、それぞれの入出力変換コネクタ７２，７３の直径も異なるとする。
【００３３】
そのため携帯電子機器電源共有装置１も電源電圧の異なる携帯電子機器の電源共有を実現するために、それぞれ３つの直径の異なる電源共有コネクタ８、コネクタ９を有している。
【００３４】
電圧変換装置６は具体的には、ＤＣ-ＤＣコンバ−タ等であり、電圧変換指示スイッチ１０を有し、携帯電子機器間の電源電圧を調整できる。
【００３５】
次に、携帯電子機器２が携帯電子機器３へ電源を供給する場合を説明する。
【００３６】
まず、携帯電子機器２と入出力変換部４とをそれぞれの電源電圧値が対応する入出力変換コネクタ７２と電源共有コネクタ８とによって接続する。
【００３７】
携帯電子機器３と入出力変換部５とをそれぞれの電源電圧値が対応する入出力変換コネクタ７３とコネクタ９とによって接続する。
【００３８】
携帯電子機器２の入出力変換コネクタ７２と電源共有コネクタ８が接続されると、入出力変換コネクタ７２の入力機能は出力機能に変換され、携帯電子機器２の電力は、電源共有コネクタ８へ出力される。ここで入出力変換コネクタ７２の入出力が変換される機構の詳細は図２，３，４を用いて後述する。
【００３９】
携帯電子機器電源共有装置１は、出力された携帯電子機器２の電力を電圧変換装置６によって携帯電子機器３の電源電圧に調整し、コネクタ９を介して携帯電子機器３に供給する。この際、電圧変換調整については、電圧変換指示スイッチ１０により電圧変換装置６へ指示をする。
【００４０】
図２において携帯電子機器２の入出力変換コネクタ７２と電源共有コネクタ８の外観図を示す。
【００４１】
右側が携帯電子機器２の入出力変換コネクタ７２で、左側が電源共有コネクタ８を示している。
【００４２】
携帯電子機器電源共有装置１の電源共有コネクタ８には突起部８０があり、携帯電子機器２の入出力変換コネクタ７２は、突起部８０と嵌合する溝部７０を有する。
【００４３】
さらに入出力変換コネクタ７２は、突起部８０と溝部７０が嵌合したときに、入出力変換スイッチ７１の押部７１１と接点部７１２とが接触するように構成されている。
【００４４】
そして図３に、入出力変換コネクタ７の側面図を示す。
【００４５】
電源共有コネクタ８の突起部８０が電子機器コネクタの溝部７０と嵌合した場合、入出力変換スイッチ７１の接点となっている押部７１１が押され、接点部７１２と接触して、入出力変換スイッチ７１がON状態になる。
【００４６】
入出力変換スイッチ７１はON状態で、携帯電子機器２の入出力変換コネクタ７２は出力機能として働く。またコネクタ９は、突起部を有さず、携帯電子機器３の入出力変換コネクタ７３と嵌合した場合であっても、入出力変換スイッチ７１はOFF状態となり、携帯電子機器３の入出力変換コネクタ７３は入力機能として働く。
【００４７】
これにより携帯電子機器２の電源が携帯電子機器電源共有装置１を介して携帯電子機器３に供給される。
【００４８】
図４に携帯電子機器２，３の入出力変換コネクタ７２，７３の入出力変換機能を示す携帯電子機器の要部回路図を示す。
【００４９】
通常、入出力変換コネクタ７２，７３は携帯電子機器２，３に対して入力機能として働く。これは、入出力変換コネクタ７２，７３と電源１２とを結ぶ配線上にダイオード１１を配置し、電力が電源１２へ入力する方向へのみ流れるようにして達成し、これにより携帯電子機器２，３の外部に電源が出力されないようになっている。
【００５０】
入出力変換コネクタ７から入力された電力は、電源１３と共に負荷１３にも供給される。また電源１２から負荷１３に対しても電力が供給されている。
【００５１】
負荷１３は、具体的にはパーソナルコンピュータのマザーボード等であり、携帯電子機器２，３の電力を消費して動作するものを表す。
【００５２】
本発明は、ダイオ−ド１１を迂回する回路の開閉を操作する入出力変換スイッチ７１を有しているので、入出力変換スイッチ７１が閉じる（ON状態）と、電力が電源１２から入出力変換コネクタ７へとダイオード１１のある回路とは逆に流れ、携帯電子機器外部へ出力できる。
次に、以上述べた本発明の情報機器切替装置の実施形態の変形例、その他の技術的な拡張事項等を以下に列挙する。
【００５３】
（１）  上記実施形態では、あらゆる携帯電子機器の電源を共有する装置を示したものであり、公知例にあるような共有する携帯電子機器としてデジタルカメラ、携帯電話機に限定されるものではない。
【００５４】
（２）  上記実施形態では、携帯電子機器のコネクタが有する入出力機能を切り替えるスイッチを入出力変換コネクタの突起部と携帯電子機器のコネクタに設けられた溝部の嵌合によってON状態するが、携帯電子機器のソフトウェアの設定によりスイッチの切り替えを行ってもよい。
【００５５】
（３）  上記実施形態では、携帯電子機器２，３は当然逆にしてもよいし、入出力変換部４，５が逆でもよい。
【００５６】
（４）  コネクタ９と接続する携帯電子機器のコネクタは溝部を有さなくてもよい。
【００５７】
（５）  上記実施形態では、入出力変換部は直径の違う複数の入出力変換コネクタを有しているが、これは携帯電子機器の電源電圧値の違いを同一の入出力変換コネクタで処理できる場合は、複数の入出力変換コネクタを設ける必要はない。
【００５８】
（６）  上記実施形態では、電力供給源が電池でなくてもよく、他の電源を共有する場合でもよい。
【００５９】
（７）  上記実施形態では、入出力変換部４の電子機器コネクタ８と入出力変換部５のコネクタ９の数は３つであったが、特に３つであることには限定されない。
【００６０】
またあらゆる携帯電子機器の電源電圧に対応できる入出力変換コネクタとコネクタが作製できれば、それぞれが一つずつでもよい。
【００６１】
次に、以上述べた情報機器切替装置の実施形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００６２】
（付記１）  内部電源を有する電子機器において、
該内部電源に外部電力を入力する機能及び該内部電源の電力を出力する機能からなるコネクタを
有することを特徴とする電子機器。
【００６３】
（付記２）  該コネクタが有する電力入力機能を電力出力機能に変更する電力出力スイッチを
有することを特徴とする付記１に記載の電子機器。
【００６４】
（付記３）  該コネクタが、該内部電源から電力供給を受ける電子機器と接続された際に、
該電力出力スイッチが自動的にオンになることを特徴とする付記１に記載の電子機器。
【００６５】
（付記４）  該コネクタが、該内部電源から電力供給を受ける電子機器の突起部を有するコネクタと接続された際に、
該突起部の押圧によって、該電力出力スイッチがオンになることを特徴とする付記１に記載の電子機器。
【００６６】
（付記５）  該突起部と嵌合する溝部が設けられたコネクタを有し、該電力出力スイッチが該溝部上に配置されていることを特徴とする付記１に記載の電子機器。
【００６７】
（付記６）  電子機器のコネクタが有する電力入力機能を電力出力機能に変換する入出力変換部と、
該入出力変換部によって、該コネクタからの出力された電力を出力するコネクタを
有することを特徴とする電子機器電源共有装置。
【００６８】
（付記７）  該入出力変換部によって、該コネクタから出力された電圧値を変更する電圧変換部有し、電圧変更した電力をコネクタによって出力することを特徴とする
付記６に記載の電子機器電源共有装置。
【００６９】
（付記８）  該入出力変換部において、異なる電圧値に対する複数の該入出力変換コネクタを、
有することを特徴とする付記６に記載の電子機器電源供給装置。
【００７０】
（付記９）  該入出力変換コネクタにおいて、外周の一部に突起部を
有することを特徴とする電子機器電源共有装置。
【００７１】
（付記１０）  電子機器の指示によって、該電子機器のコネクタが有する入出力機能の切り替えることを特徴とする付記６乃至９のいずれか１つに記載の携帯電子機器電源共有装置。
【００７２】
（付記１１）  電子機器の電源電池の共有をすることを特徴とする付記７乃至１０のいずれか一つに記載の携帯電子機器電源共有装置。
【００７３】
（付記１２）  付記１乃至５いずれか一つに記載の電子機器と、
付記６乃至１１のいずれか一つに記載の電子機器電源共有装置が接続され、
該電子機器の電力を他の電子機器に供給することを特徴とする電子機器電源共有システム。
【図面の簡単な説明】
【００７４】
【図１】携帯電子機器電源共有装置１を用いて、携帯電子機器２から携帯電子機器３へ電力を供給するシステムのブロック図
【図２】携帯電子機器コネクタ２の入出力変換コネクタ７と電源共有コネクタ８の外観図
【図３】入出力変換コネクタ７と入出力変換スイッチ８の側面図
【図４】携帯電子機器２の要部回路図
【符号の説明】
【００７５】
１…携帯電子機器電源共有装置
２…携帯電子機器
３…携帯電子機器
４…入出力変換部
５…入出力変換部
６…電圧変化機
７…電子機器コネクタ
８…入出力変換コネクタ
９…コネクタ
１０…電圧変換指示スイッチ
１１…ダイオード
１２…電源
１３…負荷
７０…溝部
７１…入出力変換スイッチ
７１１…押部
７１２…接点部
８０…突起部
【図１】
2005128821.tif 000003
【図２】
2005128821.tif 000004
【図３】
2005128821.tif 000005
【図４】
2005128821.tif 000006